(57)【要約】  血管内器具を体内管腔から回収するための器具およびシステムが開示される。回収器具（１０）は、相対的に剛性を有する基端部分（１４）、拡張可能な先端部分（１６）、およびガイドワイヤの周囲に配置された内ルーメン（１８）を有する長尺状の管状部材（１２）を備える。先端部分は、軸方向に圧縮されると拡張するように形成されたブレードを備える。長尺状の管状部材に対して動作可能に連結された拡張チップ（２８）は、体内で回収器具を追跡するために使用されてもよい。
2007518527.tif 000002
【特許請求の範囲】
【請求項１】
基端部分と、先端部分と、これらの内部を少なくとも部分的に通過して配置される内ルーメンとを有する長尺状の管状部材と、該先端部分は軸方向に圧縮されると径方向に拡張するように形成されることと、
該先端部分内に少なくとも部分的に挿入可能な拡張チップとを備える医療器具。
【請求項２】
前記基端部分はその長さに沿って厚さが可変である請求項１に記載の医療器具。
【請求項３】
前記先端部分はブレードを含む請求項１に記載の医療器具。
【請求項４】
前記拡張チップはほぼ円形の横断面を有する請求項１に記載の医療器具。
【請求項５】
前記拡張チップは、基端部と、先端部と、これらの内部を通過して配置される内ルーメンとを備える請求項１に記載の医療器具。
【請求項６】
前記拡張チップの基端部は、前記先端部分内に密嵌するように形成される請求項５に記載の医療器具。
【請求項７】
前記拡張チップの先端部は先端方向へ徐々にテーパ状をなしている請求項５に記載の医療器具。
【請求項８】
前記長尺状の管状部材は、径方向へ拡張して血管内器具を包含するように形成される請求項１に記載の医療器具。
【請求項９】
前記血管内器具は塞栓予防フィルタである請求項８に記載の医療器具。
【請求項１０】
前記長尺状の管状部材はオーバー−ザ−ワイヤタイプ用に形成される請求項１に記載の医療器具。
【請求項１１】
前記長尺状の管状部材はシングルオペレータエクスチェンジタイプ用に形成される請求項１に記載の医療器具。
【請求項１２】
基端部分と、先端部分と、これらの内部を少なくとも部分的に通過して配置される内ルーメンとを有する長尺状の管状部材と、該先端部分は軸方向に圧縮されると径方向に拡張するように形成されたブレードを含むことと、
該先端部分内に少なくとも部分的に挿入可能な拡張チップとを備える医療器具。
【請求項１３】
前記基端部分はその長さに沿って厚さが可変である請求項１２に記載の医療器具。
【請求項１４】
前記拡張チップはほぼ円形の横断面を有する請求項１２に記載の医療器具。
【請求項１５】
前記拡張チップは、基端部と、先端部と、これらの内部を通過して配置される内ルーメンとを備える請求項１２に記載の医療器具。
【請求項１６】
前記拡張チップの基端部は、前記先端部分内に密嵌するように形成される請求項１５に記載の医療器具。
【請求項１７】
前記拡張チップの先端部は先端方向へ徐々にテーパ状をなしている請求項１５に記載の医療器具。
【請求項１８】
前記長尺状の管状部材は、径方向へ拡張して血管内器具を包含するように形成される請求項１２に記載の医療器具。
【請求項１９】
前記血管内器具は塞栓予防フィルタである請求項１８に記載の医療器具。
【請求項２０】
前記長尺状の管状部材はオーバー−ザ−ワイヤタイプ用に形成される請求項１２に記載の医療器具。
【請求項２１】
前記長尺状の管状部材はシングルオペレータエクスチェンジタイプ用に形成される請求項１２に記載の医療器具。
【請求項２２】
基端部分と、先端部分と、これらの内部を少なくとも部分的に通過して配置される内ルーメンとを有する長尺状の管状部材と、該先端部分は軸方向に圧縮されると径方向に拡張するように形成されることと、
該先端部分内に少なくとも部分的に挿入可能な拡張チップと、該拡張チップは、該先端部分内に密嵌するように形成される基端部と、先端部と、これらの内部を通過して配置される内ルーメンとを備える医療器具。
【請求項２３】
前記基端部分はその長さに沿って厚さが可変である請求項２２に記載の医療器具。
【請求項２４】
前記先端部分はブレードを含む請求項２２に記載の医療器具。
【請求項２５】
前記拡張チップはほぼ円形の横断面を有する請求項２２に記載の医療器具。
【請求項２６】
前記拡張チップの先端部は先端方向へ徐々にテーパ状をなしている請求項２２に記載の医療器具。
【請求項２７】
前記長尺状の管状部材は、径方向へ拡張して血管内器具を包含するように形成される請求項２２に記載の医療器具。
【請求項２８】
前記血管内器具は塞栓予防フィルタである請求項２７に記載の医療器具。
【請求項２９】
前記長尺状の管状部材はオーバー−ザ−ワイヤタイプ用に形成される請求項２２に記載の医療器具。
【請求項３０】
前記長尺状の管状部材はシングルオペレータエクスチェンジタイプ用に形成される請求項２２に記載の医療器具。
【請求項３１】
体内管腔に配置された血管内器具を回収するシステムであって、
長尺状ワイヤの周囲に配置された塞栓予防フィルタと、
径方向へ拡張して該血管内フィルタを包含するように形成される回収器具と、該回収器具は、基端部分と、先端部分と、該長尺状ワイヤを摺動可能に受容する内ルーメンとを有する長尺状の管状部材を備えることと、
該先端部分内に少なくとも部分的に挿入可能な拡張チップを備え、該拡張チップは、該長尺状ワイヤの周囲に配置された止め部に係合するように形成されることを特徴とするシステム。
【請求項３２】
体内管腔に配置された血管内器具を回収するシステムであって、
長尺状ワイヤの周囲に配置された塞栓予防フィルタと、
径方向へ拡張して該血管内フィルタを包含するように形成される回収器具と、該回収器具は、基端部分と、先端部分と、該長尺状ワイヤを摺動可能に受容する内ルーメンとを有する長尺状の管状部材を備えることと、
該先端部分内に少なくとも部分的に挿入可能な拡張チップとを備え、該拡張チップは、該先端部分内に密嵌するように形成される基端部と、該長尺状ワイヤの周囲に配置された止め部に係合するように形成される先端部と、これらの内部を通過して配置されて該長尺状ワイヤを摺動可能に受容するように形成された内ルーメンとを備えるシステム。
【発明の詳細な説明】
【技術分野】
【０００１】
本発明は医療器具の分野に関する。より詳細には、本発明は、血管内器具を回収するための器具およびシステムに関する。
【背景技術】
【０００２】
塞栓予防フィルタ等の血管内器具は、通常、動脈や静脈等の血管内に配置されて、血流に含まれる塞栓をろ過する。そのようなフィルタを使用する処置には、血管形成術、アテローム切除術、血栓摘出術、ステント留置術が含まれる。これらの処置において、長尺状のワイヤやフィルタは、経管的に動脈や静脈へ挿入されて、病変部位の先端側の位置へ搬送される。配置されると、血管形成カテーテル等の治療器具が、ワイヤに沿って病変部位へ進められて、治療処置（例えば、経皮経管冠動脈形成術）が行われる。また、ステントを病変部位へ進めて血管壁に沿って係合させて、血管内における狭窄の発生を防止することも可能である。
【０００３】
塞栓予防フィルタの回収は、フィルタおよび捕捉した塞栓を収縮させるように形成された、内ルーメンを有するカテーテルやシースを使用して行われる。そのような回収器具のフィルタやその内容物を効率よく捕捉する能力は、フィルタやガイドワイヤの寸法、シースの外形、収集した塞栓の量に一部依存することもある。また、シースの複雑さ等の他の要因が、フィルタを捕捉する回収シースの能力に影響を及ぼすこともある。最近の回収システムは、動作機構の必要性により複雑過ぎてフィルタを捕捉できなかったり、シースの形状により血管系内を追跡することが困難であったりする。
【発明の開示】
【発明が解決しようとする課題】
【０００４】
本発明は上記した懸案を鑑みてなされたものである。
【課題を解決するための手段】
【０００５】
本発明は、血管内器具を回収するための装置およびシステムに関する。本発明の例示的な実施例による回収器具は、長尺状の管状部材を備え、同管状部材は基端部分、先端部分、およびこれらの内部を少なくとも部分的に通過して配置される内ルーメンを有する。基端部分は、使用者が体内の回収器具を操作できるような剛性が比較的高い硬質材料からなってもよい。先端部分は、径方向に拡張してその中に血管内器具を包含できるような弾性材料からなってもよい。
【０００６】
特定の実施例において、先端部分に連結または先端部分と一体的に形成されたブレード層を使用して、先端部分に拡張性を付与することも可能である。ブレード層は、先端部分の全体または一部を包む多数のフィラメントからなっていてもよい。フィラメントの材料組成、形状、あるいは厚さ等の要素は、先端部分に拡張性や放射線不透過性等の特定の性質を付与するために選択されてもよい。
【０００７】
さらに、回収器具は、ガイドワイヤに沿って回収器具の追跡を容易にするために使用される拡張チップを備えることも可能である。拡張チップは、回収器具の先端部分内で密嵌できるような寸法および形状を有する基端部を備えてもよい。拡張チップの先端部は、先端方向へ徐々に先細り（テーパ状）するようにほぼ円錐形状を有していてもよい。使用時において、拡張チップの先端が比較的小型の外形を有することにより、段階的に形状が移行するため身体への外傷が軽減され、かつ、回収器具や拡張チップをガイドワイヤに沿って他の血管内器具を越えて進める際の障害の発生を抑制する。加えて、拡張チップは、回収器具をガイドワイヤに沿って中央の位置に保持するため、体内での妨害および／または損傷を軽減する。
【発明を実施するための最良の形態】
【０００８】
以下の詳細な説明は、図面を参照して読まれるべきであり、それぞれの図面において、類似する要素には同様の符号が付されている。図面は、必ずしも寸法比率が等しいものではなく、選択された実施例を表すためのものであり、本発明の範囲を限定するものではない。様々な要素の構造、寸法、材料の例が示されているが、当業者であれば、提示された例の多くが好適な代替の構造、寸法、材料を用いることができることは認識されるであろう。
【０００９】
図１は、本発明の例示的な実施例における回収器具１０を示す部分断面図である。回収器具１０は、長尺状の管状部材１２を備え、同管状部材１２は基端部分１４、先端部分１６、および管状部材１２の少なくとも一部を通って配置される内ルーメン１８を有する。内ルーメン１８は、ガイドワイヤ２０や他の好適な案内部材を摺動可能に受容するように寸法が設定されていてもよい。
【００１０】
基端部分１４は、回収器具１０がガイドワイヤ２０上を進められて血管内器具の周囲に係合されると、座屈や膨隆に耐える十分なコラム強度や剛性を有する好適な硬質材料から形成されてもよい。基端部分１４の壁厚は、回収器具１０の長さに沿ってほぼ均一であってもよく、あるいは、必要に応じて回収器具１０の剛性やトルク性を変更するために可変であってもよい。例えば、図１に示す実施例において、基端部分１４の厚さは、回収器具１０の基端部（図示せず）から基端部分１４の先端部２２に向かって減少していてもよく、それにより基端部分１４の長さに沿って剛性を徐々に減少させることができる。他の実施例において、必要に応じて基端部分１４はその長さに沿って一定の厚さを有することにより、同部分に沿って均一な剛性を提供できる。
【００１１】
基端部分１４は、少なくとも部分的にポリエーテルブロックアミド（ＰＥＢＡ）等のポリマー材料から形成されてもよく、そのような材料は、ペンシルベニア州バーズボロに所在するアトケム  ポリマーズ社（Ａｔｏｃｈｅｍ  Ｐｏｌｙｍｅｒｓ  ｏｆ  Ｂｉｒｄｓｂｏｒｏ，Ｐｅｎｎｓｙｌｖａｎｉａ）よりＰＥＢＡＸ（登録商標）の商品名において販売されている。カテーテルシャフトや回収シースの製造において高い頻度で使用される他の好適なポリマー材料を使用することも可能である。基端部分１４は、剛性、ねじれ剛性、引張強さ、および／または硬度等の異なる材料特性を備える１つまたは複数の部分を備えていてもよい。幾つかの実施例において、基端部分１４を形成するために使用される材料は、先端部分１６を形成するために使用される材料とは異なっていてもよく、それにより回収器具１０に特定の性質を付与することが可能である。例えば、基端部分１４を形成する材料は、先端部分１６を形成する材料よりも低い剛性率や弾性率を有することにより、基端部分１４により高い剛性やトルク性を付与することができる。このように増加した剛性やねじれ剛性により、医師が体内の回収器具１０を操作する際に、基端部分１４を介して軸方向の動きや回転運動を効率よく伝達することができる。したがって、低剛性および低硬質な材料からなる先端部分１６は、より屈曲し易くなり、例えば、分岐する血管等の到達することが困難な部位へ回収器具１０の挿入を可能にする。
【００１２】
先端部分１６は、径方向へ拡張して血管内器具を包含するように形成される。先端部分１６の拡張性は、少なくとも部分的に先端部分１６を形成する材料を選択することにより決定されてもよい。先端部分１６を形成するために使用可能な材料の例には、ポリエチレンテレフタレート（ＰＥＴ）、ポリテトラフルオロエチレン（ＰＴＦＥ）、ポリウレタン（ナイロン）フッ化エチレンプロピレン（ＦＥＰ）、エチレンテトラフルオロエチレン（ＥＴＦＥ）、ポリウレタン、ポリプロピレン（ＰＰ）、ポリ塩化ビニル（ＰＶＣ）、ポリエーテル−エステル、ポリエステル、ポリアミド、弾性ポリアミド、ブロックポリアミド／エーテル、ポリエーテルブロックアミド（ＰＥＢＡ）、シリコーン、ポリエチレン（ＰＥ）、ポリエーテルエーテルケトン（ＰＥＥＫ）、ポリイミド（ＰＩ）、ポリエーテルイミド（ＰＥＩ）、ポリフェニレンサルファイド（ＰＰＳ）、ポリフェニレンオキシド（ＰＰＯ）、ポリスルフォン、ペルフルオロ（プロピルビニールエーテル）（ＰＦＡ）、または他の好適な材料、これらの混合物や組合せやコポリマーが含まれるが、これらの材料に限定されるものではない。特定の実施例において、ポリマー材料は、トルク性を強化するために、液晶ポリマー（ＬＣＰ）とブレンドまたは他の方法で液晶ポリマーを含有していてもよい。
【００１３】
基端部分１４および／または先端部分１６を形成する材料は、体内の回収器具１０を視覚化できるバリウムサルファイト（ＢａＳＯ４）や次炭酸ビスマス（（ＢｉＯ）２ＣＯ３）等の放射線不透過性を有する充填材を含んでいてもよい。放射線不透過性材料は、Ｘ線透視モニターや他の画像化装置上に比較的明瞭な像を生成できる材料のことであると理解されている。放射線不透過性ダイが問題の血管内へ注入されると、モニター上に生成された比較的明瞭な像により、体内の回収器具１０の位置を測定することができる。
【００１４】
長尺状の管状部材１２の先端部分１６に対して連結または先端部分１６と一体的に形成されたブレード層２４は、先端部分１６に拡張性を付与しつつ、回収器具１０の剛性や硬質性を維持するために使用されてもよい。ブレード層２４は、先端部分１６内に包含または近接して配置された多数のフィラメント２６を有することも可能である。フィラメント２６は、ガイドワイヤ２０とほぼ同期する長手方向の共通軸に沿って反対方向に巻き付けられて２組の平行な螺旋形状をなすように配置されてもよい。フィラメント２６を重ねる、すなわち織り合わさるように互いに交差させることにより、先端部分１６は圧縮力を受けると径方向に拡張できる。図１に示す例示的な実施例において、ブレード層２４は先端部分１６に沿って延び、基端部分１４の先端部２２またはその付近の基端側で終端する。しかしながら、他の実施例においては（図示せず）、ブレード層２４は先端部分１６の一部にのみ沿って延び、あるいは、基端部分１４全体または一部へさらに延びてもよい。
【００１５】
フィラメント２６は、ポリマー、金属、合金、金属−ポリマー複合材料、金属−金属複合材料を含む様々な材料から形成されてもよい。好適な金属および合金の例には、プラチナ、ステンレス鋼（例えば、３０４ステンレス鋼や３１６ステンレス鋼）、ニッケル−チタン合金（ニチノール）、ニッケル−クロム合金、コバルト合金等が含まれる。また、基端部分１４や先端部分１６を形成するために使用されるようなポリマーが、フィラメント２６を形成するために使用されてもよい。フィラメント２６またはその一部は、放射線不透過性材料を添加（ｄｏｐｅ）または他の方法で含有していてもよく、体内でＸ線透視法による視覚化を容易にする。例えば、フィラメント２６は、金、プラチナ、パラジウム、タンタル、タングステン合金、Ｘ線透視法による画面上や他の画像化装置上に比較的明瞭な像を生成することができる他の好適な材料から少なくとも部分的に形成されていてもよい。
【００１６】
特定の実施例において、フィラメント２６は、ブレード層２４に１つまたは複数の所望の特性を付与するように構成された複合材料から形成されてもよい。例えば、１本または複数のステンレス鋼およびニッケル−チタン合金からなるワイヤを共に巻き付けて、超弾性等の所望の特性を有するフィラメントを形成することも可能である。これに代えて、円形ワイヤや平板状リボンを使用した実施例においては、例えば、ドローイング、被覆加工（ｃｌａｄｄｉｎｇ）、他の好適な加工法により形成された複合材料を使用して、放射線不透過性等の所望の特性を有するフィラメントを形成することも可能である。
【００１７】
また、ブレード層２４を形成するフィラメント２６の形状や厚さ等の他の特性も、回収器具１０の特性を変更するために可変であってもよい。図１に示す例示的な実施例において、ブレード層２４を形成するフィラメント２６は、ほぼ円形の横断面を有するモノフィラメントワイヤから形成される。平板状リボン、マルチフィラメントワイヤ、スレッド、ファイバ、あるいはこれらの組合せ等の他のフィラメント形態が使用されてもよい。フィラメント２６の厚さは、径方向の拡張に対して多かれ少なかれ耐性を先端部分１６に付与するために、寸法において可変であってもよい。概して、より大きな寸法のフィラメントが使用されれば、径方向の拡張に対してより大きな耐性が生じる。
【００１８】
さらに、回収器具１０は、血管系内の追跡性を向上させるための拡張チップ２８を備えていてもよい。拡張チップ２８は、基端部３０、先端部３２、およびこれらの内部を通過してガイドワイヤ２０を摺動可能に受容するように配置された内ルーメン３４を備えることも可能である。拡張チップ２８は、先端部分１６の内ルーメン１８内に少なくとも部分的に嵌合するように形成されるほぼ円形の横断面を有してもよい。拡張チップ２８の先端部３２は、先端方向へ徐々に先細りする（テーパ状をなす）ほぼ円錐形状を有する。使用時に、拡張チップ２８の先端部３２は比較的小さい外形を有することにより徐々に移行できるため、身体に対する外傷を軽減でき、また、回収器具および拡張チップ２８が他の血管内器具を越えてガイドワイヤ２０に沿って進められる際に、障害の発生を防止する。さらに、拡張チップ２８は、回収器具１０をガイドワイヤ２０に沿って中央位置に維持できるように補助し、それにより回収器具１０がステントや他の配置された血管内器具を越えて、蛇行すなわち細い血管内を追跡する能力を向上させる。特定の実施例において、拡張チップ２８は、放射線不透過性材料、マーカバンド、他の視覚化手段を備えることにより、使用者が体内の拡張チップ２８の位置をＸ線透視法により観察できる。
【００１９】
図２は図１の回収器具を示す部分断面図であり、拡張チップ２８の挿入に先だって非拡張状態における先端部分１６を示す。図２に示すように、先端部分１６は、その長さに沿ってほぼ均一な外形を有し、拡張チップ２８の外径よりもわずかに小さい内径を有する。拡張チップ２８と先端部分１６の相対寸法は、これら２つの部材間において締まりばめが可能となるように選択されることにより、拡張チップ２８が先端部分１６内に密嵌できる。使用時に、回収器具１０を体内に進める際に、この締まりばめにより先端部分１６に対して拡張チップ２８を固定位置に維持する。
【００２０】
拡張チップ２８を先端部分１６へ挿入するために、拡張チップ２８の基端部３０が回収器具１０の先端部において開口部３８へ挿入され、図２の矢印で示すように圧縮される。最初に拡張チップ２８を内ルーメン１８内に圧縮する際に、拡張チップ２８の基端部のテーパ部４０を使用して拡張チップ２８を案内することも可能である。拡張チップ２８を先端部分１６内に圧縮することにより、先端部分１６が拡張チップ２８の基端部３０に沿って図１に示すような位置まで拡張する。その後、必要に応じて拡張チップ２８を内ルーメン１８内から後退させてもよく、それにより先端部分１６はその初期（すなわち非拡張）状態に戻る。
【００２１】
図３〜６において、本発明の血管内器具を回収する例示的な方法を回収器具１０について説明する。図３に示す第１位置において、例示的な塞栓予防フィルタ４２は、病変部位Ｌの先端側の血管Ｖ内に位置するガイドワイヤ２０に対して連結されている。先に配置されているステント４４もまた、ガイドワイヤ２０に沿って進められ病変部位Ｌを越えて配置されて、血管形成術やアテローム切除術等の治療処置の後に狭窄が発生することを防止する。
【００２２】
塞栓予防フィルタ４２は、支持フープ４８に対して動作可能に連結されたフィルタメンブレン４６を備えていてもよく、フィルタメンブレン４６は血管Ｖ内で拡張した姿勢において支持フープ４８に支持されている。支持フープ４８は、径方向に解放されると、自己拡張するように形成されており、フィルタメンブレン４６を押圧して血管Ｖ内で拡張させる。フィルタメンブレン４６は、生体適合性のあるポリマー材料から形成されてもよく、血流を妨げることなく血管Ｖ内に配置された塞栓性デブリを収集するように形成された多数の開口部、すなわち孔５０を有している。塞栓予防フィルタ４２の全体または一部は、ヘパリンやその同等物等の抗血栓性を有するコーティングで被覆されていてもよく、フィルタ上に凝血塊が形成されることを防止する。
【００２３】
支持フープ４８は、そこから基端方向へ延びて止め部５４に達する、１つまたは複数のストラット５２を介してガイドワイヤ２０に接続されていてもよい。止め部５４は、フィルタ４２の基端部をガイドワイヤ２０に対して連結するクランプ、すなわちワイヤ巻線、ハンダ、または他の好適なコネクタを備えていてもよい。塞栓予防フィルタ４２の先端部またはその付近に位置するフィルタメンブレン４６の一部は、例えば、接着工程によりガイドワイヤ２０に装着されていてもよい。
【００２４】
塞栓予防フィルタ４２を血管Ｖから回収するために、図２に関して述べたように、医師は、拡張チップ２８を長尺状の管状部材１２の先端部分１６へ挿入する。拡張チップ２８が先端部分１６へ挿入されると、次に医師は、ガイドワイヤ２０の基端部を拡張チップ２８の先端部３６へ挿入し、内ルーメン３４，１８内へガイドワイヤ２０を通す。さらに、医師は、大腿静脈や頸静脈等に形成された小刺創を介して回収器具１０および装着された拡張チップ２８を血管内へ挿入し、血管内の目的部位へこれらを進める。回収器具１０は、オーバー−ザ−ワイヤ方法により進められ、回収器具１０がガイドワイヤ２０の長さの相当部分に沿って進められる。これに代えて、シングル−オペレータ−エクスチェンジ（ＳＯＥ）方法により回収器具１０を進めることも可能であり、長尺状の管状部材１２の側面に沿って配置された出口を使用して、ガイドワイヤ２０に沿って回収器具１０の一部のみを進めてもよい。
【００２５】
図４は、ステント４４の位置を越えてガイドワイヤ２０に沿って進められて、止め部５４に係合された回収器具１０を示す平面図である。図４に示すように、拡張チップ２８は、回収器具１０をガイドワイヤ２０に沿って中央位置に維持するため、回収器具１０が挿入および／または抜去中にステント４４を妨害する可能性を低減する。
【００２６】
拡張チップ２８の先端部３６は、止め部５４を係合するように形成されており、止め部５４により拡張チップ２８がガイドワイヤ２０に沿って先端方向へさらに移動することが防止される。拡張チップ２８が止め部５４に係合されると、医師は長尺状の管状部材１２を先端方向へ進めるが、ガイドワイヤ２０は固定されているため、図５に示すように、先端部分１６が径方向へ拡張を開始し、続いて拡張チップ２８を越えて先端方向へ進む。拡張チップ２８の形状により、管状部材１２が先端方向へ進むにつれて外方向へ広がる。引き続き管状部材１２が先端方向へ移動することにより、先端部分１６が径方向へさらに拡張して塞栓予防フィルタ４２を包み込むと、図６に示すようにフィルタ４２が完全に収縮する。次に、回収器具１０、塞栓予防フィルタ４２、およびガイドワイヤ２０は、血管Ｖから取り除かれる。
【００２７】
図３〜６において、塞栓予防フィルタが体内から取り除かれる状態が詳細に示されており、本発明の装置と共に、任意の数の他の血管内器具を回収および／または搬送できることが意図されている。他の血管内器具の例には、ステント、凝血塊プラー、大静脈フィルタ、アテローム切除術用器具、血管形成術用器具等が含まれる。
【００２８】
本発明の実施例のいくつかについて説明してきたが、当業者であれば、本明細書に添付される請求の範囲に包含される他の実施例を用いることができることは理解されるであろう。本発明の数々の効果は、前述した説明に記載されている。本開示は、多くの点において単なる例示となるものである。構成の詳細に変更を加えることは可能であり、特に形状、寸法、および部品の構成については、本発明の範囲から逸脱することなく変更することができる。
【図面の簡単な説明】
【００２９】
【図１】本発明の例示的な実施例における回収器具を示す部分断面図。
【図２】図１の回収器具において、拡張チップの挿入に先だって非拡張状態における先端部分を示す部分断面図。
【図３】病変部位の先端側の血管内に配置された塞栓予防フィルタおよび留置されたステントを示す平面図。
【図４】図３の血管を示す平面図であって、回収器具は、ステントを越えてガイドワイヤに沿って進められて止め部において係合される。
【図５】図３の血管を示す平面図であって、回収器具は、塞栓予防フィルタを収縮させるために、ガイドワイヤに沿ってさらに進められる。
【図６】図３の血管を示す平面図であって、塞栓予防フィルタは回収器具内で収縮している。
【図１】
2007518527.tif 000003
【図２】
2007518527.tif 000004
【図３】
2007518527.tif 000005
【図４】
2007518527.tif 000006
【図５】
2007518527.tif 000007
【図６】
2007518527.tif 000008
【国際調査報告】
2007518527.tif 000009
2007518527.tif 000010
2007518527.tif 000011